(57)【特許請求の範囲】
【請求項１】
給水通路より導かれる水を給湯バーナ燃焼の熱を利用して加熱し給湯通路へ流出する給湯熱交換器と、この給湯熱交換器の入側の給水通路と出側の給湯通路を短絡するバイパス通路と、該バイパス通路の開閉を行うバイパス通路開閉弁と、給水通路の水の温度を検出する入水温度検出手段と、給湯熱交換器の出側の湯水温度を検出する給湯熱交換器出側湯温センサとを有する燃焼機器において、給湯熱交換器出側湯温センサが検出した給湯熱交換器の実測出側湯温を暫定取り込み基準値として取り込む暫定取り込み基準値設定部と；予め定められた給湯設定温度の情報に基づき又はこの給湯設定温度と入水温度検出手段が検出した検出入水温との情報に基づき、バイパス通路開閉弁が閉弁していると仮定したときの出湯湯温が給湯設定温度になるための給湯熱交換器の出側の湯温を求め、この求めた湯温を暫定演算基準値として設定する暫定演算基準値設定部と；この暫定演算基準値設定部が設定した暫定演算基準値と前記暫定取り込み基準値設定部が設定した暫定取り込み基準値を比較し、暫定取り込み基準値が暫定演算基準値より予め定めた許容範囲を外れていると判断したときには暫定演算基準値を確定基準値として決定し、それ以外のときには暫定取り込み基準値を確定基準値として決定する確定基準値決定部と；この確定基準値決定部が決定した確定基準値に基づき予め定めた条件の下でバイパス通路開閉弁の開閉制御を行うバイパス通路開閉弁開閉制御部と；を有する燃焼機器。
【請求項２】
給水通路より導かれる水を給湯バーナ燃焼の熱を利用して加熱し給湯通路へ流出する給湯熱交換器と、この給湯熱交換器の入側の給水通路と出側の給湯通路を短絡するバイパス通路と、該バイパス通路の開閉を行うバイパス通路開閉弁と、給水通路の水の温度を検出する入水温度検出手段と、給湯熱交換器の出側の湯水温度を検出する給湯熱交換器出側湯温センサと、給湯温度を設定するための給湯温度設定手段とを有する燃焼機器において、給湯バーナの給湯燃焼の停止時に給湯熱交換器出側湯温センサが検出した給湯熱交換器の実測出側湯温を暫定取り込み基準値として取り込む暫定取り込み基準値設定部と；予め定めた時間間隔で給湯温度設定手段に設定されている給湯設定温度を取り込み、この給湯設定温度の情報に基づき又はこの給湯設定温度と入水温度検出手段が検出した検出入水温との情報に基づき、バイパス通路開閉弁が閉弁していると仮定したときの出湯湯温が給湯設定温度になるための給湯熱交換器の出側の湯温を求め、この求めた湯温を暫定演算基準値として設定する暫定演算基準値設定部と；この暫定演算基準値設定部が設定した暫定演算基準値と前記暫定取り込み基準値設定部が設定した暫定取り込み基準値を比較し、暫定取り込み基準値が暫定演算基準値より予め定めた許容範囲を外れていると判断したときには暫定演算基準値を確定基準値として決定し、それ以外のときには暫定取り込み基準値を確定基準値として決定する確定基準値決定部と；この確定基準値決定部が決定した確定基準値より予め定めた第１の嵩上げ温度だけ高い開弁温度と、前記第１の嵩上げ温度より小さい予め定めた第２の嵩上げ温度だけ前記確定基準値より高い閉弁温度とを求める開弁・閉弁温度算出部と；この開弁・閉弁温度算出部が求めた開弁温度と閉弁温度が格納されるデータ格納部と；出湯が開始された後に給湯熱交換器出側湯温センサの実測出側湯温と前記データ格納部に格納されている温度データを比較し、実測出側湯温が開弁温度以上であると判断したときにバイパス通路開閉弁への開弁信号を出力してバイパス通路開閉弁を開弁させ、実測出側湯温が閉弁温度以下であると判断したときにバイパス通路開閉弁への閉弁信号を出力するバイパス通路開閉弁開閉制御部と；を有する燃焼機器。
【請求項３】
確定基準値決定部の確定基準値決定動作により決定された確定基準値のデータがあるか否かを判断する確定基準値有無判断部と；この確定基準値有無判断部が確定基準値がないと判断したときには暫定演算基準値設定部が求めた暫定演算基準値を確定基準値として設定する初回確定基準値設定部と；を設ける構成にしたことを特徴とする請求項２記載の燃焼機器。
【請求項４】
出湯開始後にバイパス通路開閉弁の開・閉状態を監視する開閉状態監視部と；この開閉状態監視部の情報に基づき、バイパス通路開閉弁が開弁状態にあると検知している間に給湯設定温度が変更されたか否かを監視する給湯設定温度監視部と；が設けられ、バイパス通路開閉弁が開弁しているときに給湯設定温度が変更になった場合には暫定演算基準値設定部の暫定演算基準値設定動作と確定基準値決定部の確定基準値決定動作と開弁・閉弁温度算出部の開弁・閉弁温度算出動作が再度行われる構成としたことを特徴とする請求項２又は請求項３記載の燃焼機器。
【請求項５】
給湯熱交換器の給水通路と、給湯熱交換器の給湯通路を短絡する開閉弁を持たない常時バイパス通路が設けられ、暫定演算基準値設定部は入水温度検出手段が検出した検出入水温と、給湯温度設定手段に設定されている給湯設定温度と、予め定まる給湯熱交換器の流量と常時バイパス通路の流量の流量比に基づき、バイパス通路開閉弁が閉弁していると仮定したときの出湯湯温が給湯設定温度になるための給湯熱交換器の出側の湯温を求め、この求めた湯温を暫定演算基準値として設定する構成としたことを特徴とする請求項２又は請求項３又は請求項４記載の燃焼機器。
【発明の詳細な説明】
【０００１】
【発明の属する技術分野】
本発明は給水通路より導かれる水を給湯バーナ燃焼により加熱して給湯通路へ流出する給湯熱交換器を備えた燃焼機器に関するものである。
【０００２】
【従来の技術】
燃焼機器として代表的な給湯器には、周知のように、給湯熱交換器と給湯バーナが設けられ、給湯熱交換器の入側には給水通路が、出側には給湯通路がそれぞれ接続され、給湯通路は台所等の給湯栓へ導かれている。給湯熱交換器は、給湯栓が開けられると、水供給源から給水通路を介して導かれた水を給湯バーナの給湯燃焼の熱を利用して加熱し、この加熱した湯を給湯通路を通し給湯栓を介して出湯する。
【０００３】
【発明が解決しようとする課題】
ところで、周知のように、給湯栓の閉栓後つまり給湯停止後（止湯後）、給湯熱交換器内に滞留した湯は、図３の実線カーブＡに示すように、給湯停止後すぐに後沸き（給湯熱交換器の保有熱量が給湯熱交換器の滞留湯に伝わって滞留湯温が上昇する現象）によって止湯前の給湯熱交換器湯温より高い湯温（オーバーシュート）の湯となる。このオーバーシュートの湯が給湯栓が開けられて給湯熱交換器から流れ出ると、湯の利用者が定めた給湯設定温度より高めの湯が出湯し湯の利用者に不快感を与えてしまうという問題が生じる。
【０００４】
上記問題を解決するために、様々な手段が提案されているが、簡単な構成でもって出湯時の高温出湯を防止することができる満足すべき燃焼機器は今だ得られていない。
【０００５】
本発明は上記課題を解決するためになされたものであり、その目的は、簡単な構成で、出湯開始時の高温出湯を確実に防止することができる燃焼機器を提供することにある。
【０００６】
【課題を解決するための手段】
上記目的を達成するために、本発明は次のような構成をもって前記課題を解決する手段としている。すなわち、第１の発明は、給水通路より導かれる水を給湯バーナ燃焼の熱を利用して加熱し給湯通路へ流出する給湯熱交換器と、この給湯熱交換器の入側の給水通路と出側の給湯通路を短絡するバイパス通路と、該バイパス通路の開閉を行うバイパス通路開閉弁と、給水通路の水の温度を検出する入水温度検出手段と、給湯熱交換器の出側の湯水温度を検出する給湯熱交換器出側湯温センサとを有する燃焼機器において、給湯熱交換器出側湯温センサが検出した給湯熱交換器の実測出側湯温を暫定取り込み基準値として取り込む暫定取り込み基準値設定部と；予め定められた給湯設定温度の情報に基づき又はこの給湯設定温度と入水温度検出手段が検出した検出入水温との情報に基づき、バイパス通路開閉弁が閉弁していると仮定したときの出湯湯温が給湯設定温度になるための給湯熱交換器の出側の湯温を求め、この求めた湯温を暫定演算基準値として設定する暫定演算基準値設定部と；この暫定演算基準値設定部が設定した暫定演算基準値と前記暫定取り込み基準値設定部が設定した暫定取り込み基準値を比較し、暫定取り込み基準値が暫定演算基準値より予め定めた許容範囲を外れていると判断したときには暫定演算基準値を確定基準値として決定し、それ以外のときには暫定取り込み基準値を確定基準値として決定する確定基準値決定部と；この確定基準値決定部が決定した確定基準値に基づき予め定めた条件の下でバイパス通路開閉弁の開閉制御を行うバイパス通路開閉弁開閉制御部と；を有する構成をもって前記課題を解決する手段としている。
【０００７】
第２の発明は、給水通路より導かれる水を給湯バーナ燃焼の熱を利用して加熱し給湯通路へ流出する給湯熱交換器と、この給湯熱交換器の入側の給水通路と出側の給湯通路を短絡するバイパス通路と、該バイパス通路の開閉を行うバイパス通路開閉弁と、給水通路の水の温度を検出する入水温度検出手段と、給湯熱交換器の出側の湯水温度を検出する給湯熱交換器出側湯温センサと、給湯温度を設定するための給湯温度設定手段とを有する燃焼機器において、給湯バーナの給湯燃焼の停止時に給湯熱交換器出側湯温センサが検出した給湯熱交換器の実測出側湯温を暫定取り込み基準値として取り込む暫定取り込み基準値設定部と；予め定めた時間間隔で給湯温度設定手段に設定されている給湯設定温度を取り込み、この給湯設定温度の情報に基づき又はこの給湯設定温度と入水温度検出手段が検出した検出入水温との情報に基づき、バイパス通路開閉弁が閉弁していると仮定したときの出湯湯温が給湯設定温度になるための給湯熱交換器の出側の湯温を求め、この求めた湯温を暫定演算基準値として設定する暫定演算基準値設定部と；この暫定演算基準値設定部が設定した暫定演算基準値と前記暫定取り込み基準値設定部が設定した暫定取り込み基準値を比較し、暫定取り込み基準値が暫定演算基準値より予め定めた許容範囲を外れていると判断したときには暫定演算基準値を確定基準値として決定し、それ以外のときには暫定取り込み基準値を確定基準値として決定する確定基準値決定部と；この確定基準値決定部が決定した確定基準値より予め定めた第１の嵩上げ温度だけ高い開弁温度と、前記第１の嵩上げ温度より小さい予め定めた第２の嵩上げ温度だけ前記確定基準値より高い閉弁温度とを求める開弁・閉弁温度算出部と；この開弁・閉弁温度算出部が求めた開弁温度と閉弁温度が格納されるデータ格納部と；出湯が開始された後に給湯熱交換器出側湯温センサの実測出側湯温と前記データ格納部に格納されている温度データを比較し、実測出側湯温が開弁温度以上であると判断したときにバイパス通路開閉弁への開弁信号を出力してバイパス通路開閉弁を開弁させ、実測出側湯温が閉弁温度以下であると判断したときにバイパス通路開閉弁への閉弁信号を出力するバイパス通路開閉弁開閉制御部と；を有する構成をもって前記課題を解決する手段としている。
【０００８】
第３の発明は、上記第２の発明の構成に加えて、確定基準値決定部の確定基準値決定動作により決定された確定基準値のデータがあるか否かを判断する確定基準値有無判断部と；この確定基準値有無判断部が確定基準値がないと判断したときには暫定演算基準値設定部が求めた暫定演算基準値を確定基準値として設定する初回確定基準値設定部と；を設ける構成をもって前記課題を解決する手段としている。
【０００９】
第４の発明は、上記第２又は第３の発明の構成に加えて、出湯開始後にバイパス通路開閉弁の開・閉状態を監視する開閉状態監視部と；この開閉状態監視部の情報に基づき、バイパス通路開閉弁が開弁状態にあると検知している間に給湯設定温度が変更されたか否かを監視する給湯設定温度監視部と；が設けられ、バイパス通路開閉弁が開弁しているときに給湯設定温度が変更になった場合には暫定演算基準値設定部の暫定演算基準値設定動作と確定基準値決定部の確定基準値決定動作と開弁・閉弁温度算出部の開弁・閉弁温度算出動作が再度行われる構成をもって前記課題を解決する手段としている。
【００１０】
第５の発明は、上記第２又は第３又は第４の発明を構成する給湯熱交換器の給水通路と、給湯熱交換器の給湯通路を短絡する開閉弁を持たない常時バイパス通路が設けられ、暫定演算基準値設定部は入水温度検出手段が検出した検出入水温と、給湯温度設定手段に設定されている給湯設定温度と、予め定まる給湯熱交換器の流量と常時バイパス通路の流量の流量比に基づき、バイパス通路開閉弁が閉弁していると仮定したときの出湯湯温が給湯設定温度になるための給湯熱交換器の出側の湯温を求め、この求めた湯温を暫定演算基準値として設定する構成をもって前記課題を解決する手段としている。
【００１１】
上記構成の本発明において、例えば、暫定取り込み基準値設定部は給湯バーナの給湯燃焼停止時に給湯熱交換器出側湯温センサが検出した給湯熱交換器の実測出側湯温を暫定取り込み基準値として取り込む。暫定演算基準値設定部は、予め定めた時間間隔で給湯設定温度を取り込み、この給湯設定温度の情報を用いて出湯湯温が給湯設定温度になるための給湯熱交換器の出側の湯温をバイパス通路開閉弁が閉弁していると仮定した条件のもとで求め、この求めた湯温を暫定演算基準値として決定する。確定基準値決定部は、その暫定演算基準値と前記暫定取り込み基準値を比較し、暫定取り込み基準値が暫定演算基準値より予め定めた許容範囲を外れていると判断したときには暫定演算基準値を確定基準値として決定し、それ以外のときには暫定取り込み基準値を確定基準値として決定する。
【００１２】
開弁・閉弁温度算出部は、上記確定基準値決定部が決定した確定基準値に予め定めた第１の嵩上げ温度を加算して開弁温度を求め、また、上記確定基準値に予め定めた第２の嵩上げ温度を加算して閉弁温度を求め、それら開弁温度と閉弁温度はデータ格納部に格納される。
【００１３】
バイパス通路開閉弁開閉制御部は、出湯開始後に、給湯熱交換器の実測出側湯温と上記データ格納部の温度データを比較し、実測出側湯温が開弁温度以上であると判断したときにバイパス通路開閉弁への開弁信号を出力し、高温出湯を防止するためにバイパス通路開閉弁を開弁させ、そのバイパス通路開閉弁の開弁期間中に、実測出側湯温が閉弁温度以下であると判断したときにバイパス通路開閉弁を閉弁しても高温出湯の虞れはなくなったとしてバイパス通路開閉弁への閉弁信号を出力する。
【００１４】
【発明の実施の形態】
以下、本発明に係る実施の形態例を図面に基づき説明する。以下に説明する実施の形態例の燃焼機器は、本発明者らが試作検討している図４の単機能給湯器や、図５の複合給湯器や、図６の多機能給湯器や、図７の一缶二水構成の給湯器を対象にしている。
【００１５】
図４の給湯器には給湯熱交換器１と図示されていない給湯バーナが設けられ、この給湯熱交換器１の入側には給水通路３が接続され、出側には給湯通路４が接続されており、給湯通路４は台所等の給湯栓19へ導かれている。前記給湯熱交換器１には入側の給水通路３と出側の給湯通路４を短絡する開閉弁を持たない常時バイパス通路５が並設され、この常時バイパス通路５は給湯熱交換器１側に流れる流量と常時バイパス通路５側に流れる流量の流量比が管路抵抗により予め定めた流量比（例えば７対３〜８対２）となるように形成されている。
【００１６】
また、前記常時バイパス通路出側接続部Ｘより下流側の給湯通路４と、常時バイパス通路入側接続部Ｙより上流側の給水通路３とを短絡するバイパス通路８が形成されている。このバイパス通路８には該通路の開閉を行うバイパス通路開閉弁であるバイパス弁10が介設されている。上記常時バイパス通路出側接続部Ｚより下流側の給湯通路４には流量を開弁量により制御する流量制御弁７が設けられている。
【００１７】
また、この給湯器には該給湯器の運転動作を制御する制御装置20が設けられ、この制御装置20にはリモコン18が接続されている。リモコン18には給湯器の利用者が給湯温度を設定するための給湯温度設定手段21が形成されている。
【００１８】
なお、図中、12は水供給源から給水通路３を介して導かれた入水流量を検出するための流量検出センサを示し、13は給水通路３の入水の温度を検出するためのサーミスタ等の入水温度検出手段である入水温度センサを示し、14は給湯熱交換器１の出側の湯水の温度を検出するためのサーミスタ等の給湯熱交換器出側湯温センサである出側湯温センサを示すものである。
【００１９】
図５の複合給湯器は、図４に示す給湯器の構成に、湯張り機能や、高温差し湯機能や、追い焚き機能等の風呂機能を加えた構成を有するものである。図５に示すように、この複合給湯器は、図４に示す給湯システム構成に加えて、図示されていない風呂バーナと、浴槽水を循環ポンプ28の駆動により導入して風呂バーナの燃焼の熱を利用し追い焚き熱交換器26で加熱し浴槽24へ戻す追い焚き循環路27と、この追い焚き循環路27と給湯通路４を接続する湯張り通路30と、該通路の開閉を行う注湯制御弁22とを有しており、例えば、注湯制御弁22を開け、給湯熱交換器１で温められた湯を湯張り通路30と追い焚き循環路27を介して浴槽24へ落とし込み風呂の湯張りを行ったり、同様にして高温差し湯を行ったり、循環ポンプ28を駆動し、浴槽水を追い焚き循環路27で循環させると共に風呂バーナ燃焼の熱を利用して追い焚き熱交換器26で加熱することで風呂の追い焚きを行うことができるものである。
【００２０】
図６の多機能給湯器は図４に示す給湯器の構成に風呂の湯張り機能や高温差し湯機能を加えた構成を有するものである。同図に示すように、この給湯器の給湯通路４には通路23の一端側が接続され、この通路23の他端側は電磁弁等の注湯制御弁22を介して浴槽24へ導かれており、例えば、注湯制御弁22を開け、給湯バーナ燃焼により温められた湯を通路23を通して浴槽24へ導くことにより湯張りや高温差し湯が行われる。
【００２１】
図７の一缶二水構成の給湯器は、図４に示す給湯器の構成に、湯張り機能や、高温差し湯機能や、追い焚き機能等の風呂機能の構成を加えたものであり、給湯バーナが風呂バーナを兼用し、給湯熱交換器１には給湯用の湯水が流れる給湯用管路47と浴槽循環水が流れる追い焚き用管路48が形成されている。給湯用管路47の入側には給水通路３が、出側には給湯通路４がそれぞれ接続され、前記追い焚き用管路48は浴槽24の湯水を循環するための追い焚き循環路27に介設されている。
【００２２】
上記一缶二水構成の給湯器は、例えば、給湯栓19が開けられると、給湯バーナの給湯燃焼を行って、給水通路３より導かれた水を給湯熱交換器１で加熱し、その湯を給湯通路４を通し給湯栓19を介して出湯する給湯運転を行う。また、この給湯器は、例えば、循環ポンプ28を駆動させ、浴槽24の水を追い焚き循環路27で循環させると共に、給湯バーナの追い焚き燃焼を行って加熱し追い焚き単独運転を行う。
【００２３】
上記図４〜図７の各給湯器の制御装置20には本発明において特有な高温出湯防止手段が設けられている。
【００２４】
図１には高温出湯防止手段25を備えた制御装置20の主要構成の一例が示されており、この制御装置20は燃焼制御部36と高温出湯防止手段25を有して構成されている。上記燃焼制御部36は給湯や湯張りや高温差し湯や追い焚き等の運転動作を制御するもので、その制御構成は前述したのでその説明は省略する。
【００２５】
高温出湯防止手段25は、サンプリング部35と、暫定取り込み基準値設定部であるＳA 設定部37と、暫定演算基準値設定部であるＳB 設定部38と、データ格納部40と、確定基準値決定部であるＳS 決定部41と、確定基準値有無判断部であるＳS 有無判断部42と、給湯設定温度監視部であるＴS 監視部43と、開閉状態監視部44と、バイパス通路開閉弁開閉制御部である開閉制御部45と、開弁・閉弁温度算出部であるＴOP・ＴCL算出部46と、初回確定基準値設定部である初回ＳS 設定部50とを有して構成されており、この高温出湯防止手段25は出湯開始時の高温出湯を確実に防止するためにバイパス弁10の開閉制御を精度良く行うものである。
【００２６】
サンプリング部35は予め定めたサンプリング時間間隔（例えば、１秒間隔）を設定するタイマ（図示せず）を内蔵しており、このタイマによって設定されたサンプリング時間間隔毎に、入水温度センサ13や出側湯温センサ14等の様々なセンサ出力や、リモコン18の情報（例えば、給湯温度設定手段21に設定されている給湯設定温度）をサンプリングする。
【００２７】
ＳA 設定部37は、燃焼制御部36の制御動作の情報から給湯バーナの給湯燃焼が停止したと検知したときに、サンプリング部35がサンプリングした出側湯温センサ14の実測出側湯温を取り込み、この実測出側湯温を暫定取り込み基準値ＳA として設定し、その暫定取り込み基準値ＳA をデータ格納部40に格納する。
【００２８】
データ格納部40は記憶装置により形成されており、上記ＳA 設定部37が取り込んだ暫定取り込み基準値ＳA を記憶する。なお、データ格納部40へ暫定取り込み基準値ＳA を記憶させる手法には様々な手法が考えられるが、この実施の形態例では、新たな暫定取り込み基準値ＳA が記憶されるときに前回の給湯停止時の暫定取り込み基準値ＳA ′が自動消去され、そのメモリ位置に新たな暫定取り込み基準値ＳA が書き込まれるようになっており、データ格納部40が記憶容量不足になり新たなデータを記憶できなくなるという問題を回避する構成となっている。
【００２９】
ＳB 設定部38は読み出し専用あるいは読み出しと書き込みが自在の不揮発性記憶装置で構成されたメモリ（図示せず）を内蔵しており、このメモリには次に示すＳB 算出演算式データが予め格納されている。このＳB 算出演算式データはバイパス通路８のバイパス弁10が閉弁している状態で出湯湯温が給湯設定温度となるための給湯熱交換器１の出側湯温ＳB を演算検出するためのデータであり、本実施の形態例では、下記の（１）式がＳB 算出演算式データとして内蔵メモリに格納されている。
【００３０】
ＳB ＝（Ｔs −（１−ｍ）Ｔ1 ）／ｍ・・・・・（１）
【００３１】
上記（１）式に示すＴs は給湯設定温度を表し、Ｔ1 は入水温度を表し、ｍは総入水流量に対する予め定めた給湯熱交換器１の流量比（０＜ｍ＜１）を表すもので、上記（１）式は次のようにして導き出された。
【００３２】
すなわち、出湯湯温が給湯設定温度となるためには、給水通路３より導かれた総入水流量Ｑ0 の水を入水温Ｔ1 から給湯設定温度Ｔs まで上昇させるのに必要な熱量Ｊ0 （Ｊ0 ＝（Ｔs −Ｔ1 ）・Ｑ0 ・Ｃ（ただしＣは水の比熱））と、上記総入水流量Ｑ0 のうちの給湯熱交換器１を流れる流量ＱHE（ＱHE＝ｍ・Ｑ0 ）の水を入水温Ｔ1 から前記給湯熱交換器１の出側湯温ＳB まで上昇させるのに必要な熱量ＪHE（ＪHE＝（ＳB −Ｔ1 ）・ＱHE・Ｃ＝（ＳB −Ｔ1 ）・ｍ・Ｑ0 ・Ｃ）とが等しくなければならないという関係（（Ｔs −Ｔ1 ）・Ｑ0 ・Ｃ＝（ＳB −Ｔ1 ）・ｍ・Ｑ0 ・Ｃ）から前記（１）式は導き出された。
【００３３】
前記（１）式のＴs にリモコン18の給湯設定手段21の給湯設定温度を、Ｔ1 に入水温度センサ13の検出入水温を、ｍに予め定められている総入水流量に対する給湯熱交換器１の流量比（例えば、バイパス弁10が閉弁している状態では入水は給湯熱交換器１側と常時バイパス通路５側に分岐して流れ、その給湯熱交換器１の流量と常時バイパス通路５の流量の流量比は管路抵抗により予め定まるので、その流量比が、例えば、0.73対0.27である場合にはｍ＝0.73と予め定められる）をそれぞれ代入し（１）式に従って演算を行うことによって、出湯湯温が給湯設定温度ＴS になるための給湯熱交換器１の出側湯温ＳB を算出することができる。
【００３４】
ＳB 設定部38は、給湯バーナの給湯燃焼が停止した以降に、上記内蔵メモリからＳB 算出演算式データを読み出し、また、サンプリング35が給湯温度設定手段21に設定されている給湯設定温度ＴS および入水温度センサ13の検出入水温Ｔ1 をサンプリングする度に、それら給湯設定温度ＴS と検出入水温Ｔ1 を取り込み、給湯設定温度ＴS と検出入水温Ｔ1 と前記ＳB 算出演算式データに基づいて、出湯湯温が給湯設定温度ＴS になるための給湯熱交換器１の出側湯温ＳB を算出し、この算出した出側湯温を暫定演算基準値ＳB と設定し、この暫定演算基準値ＳB を時々刻々ＳS 決定部41へ出力する。
【００３５】
ＳS 決定部41は、給湯バーナの給湯燃焼が停止した後に、データ格納部40から前記暫定取り込み基準値ＳA を読み出す。そして、ＳB 設定部38で求められた暫定演算基準値ＳB を受け取る度に、その暫定演算基準値ＳB と上記暫定取り込み基準値ＳA を比較し、暫定取り込み基準値ＳA が暫定演算基準値ＳB より予め定めた許容範囲（例えば±５℃）を外れていると判断したときには暫定演算基準値ＳB を確定基準値ＳS と決定する。
【００３６】
それ以外のときには、暫定取り込み基準値ＳA を確定基準値ＳS と決定する。そして、このように決定した確定基準値ＳS をデータ格納部40へ出力してデータ格納部40に格納させる。なお、データ格納部40に確定基準値ＳS が書き込まれるときには、その確定基準値ＳS より前にデータ格納部40に記憶されていた確定基準値ＳS ′が自動消去され新たな確定基準値ＳS に更新される。
【００３７】
ＴOP・ＴCL算出部46は読み出し専用あるいは読み出しと書き込み自在の不揮発性記憶装置で構成されるメモリ（図示せず）を内蔵しており、このメモリには予めＴOP算出演算式データ（ＴOP＝ＳS ＋α）およびＴCL算出演算式データ（ＴCL＝ＳS ＋β）が格納されている。ＴOP・ＴCL算出部46は、燃焼制御部36の制御動作の情報により出湯が開始されたと検知したときに、前記データ格納部40から確定基準値ＳS を読み出し、この確定基準値ＳS と、上記ＴOP算出演算式データおよびＴCL算出演算式データとに基づき、開弁温度ＴOPと閉弁温度ＴCLを演算算出し、求めた開弁温度ＴOPと閉弁温度ＴCLをデータ格納部40に格納する。
【００３８】
なお、上記ＴOP算出演算式データに示すαは第１の嵩上げ温度を表し、予め定められる定数（例えば、３℃）であり、また、ＴCL算出演算式データに示すβは第２の嵩上げ温度を表し、上記αより小さい予め定められる定数（例えば、２℃）である。また、算出した開弁温度ＴOPと閉弁温度ＴCLをデータ格納部40に書き込むときには、その開弁温度ＴOPと閉弁温度ＴCLより前に記憶されていた開弁温度ＴOP′と閉弁温度ＴCL′は自動消去され新たな開弁温度ＴOPと閉弁温度ＴCLに更新される。
【００３９】
開閉制御部45は、前記燃焼制御部36の制御動作の情報から出湯が開始されたと検知した以降に、サンプリング部35を介して出側湯温センサ14の実測出側湯温ＴOUT を取り込み、この実測出側湯温ＴOUT と前記データ格納部40の開弁温度ＴOPを比較する。図２の（ａ）に示すように、出湯開始後、まず、給湯熱交換器１の出側の給湯通路４に滞留していた温めの湯の湯温が出側湯温センサ14により検出されるが、湯張りや高温差し湯が行われた直後だったり、後沸きが生じている場合には、その後、高温の湯が給湯熱交換器１から流出し始め、出側湯温センサ14で検出される湯の湯温が上昇する。
【００４０】
そして、開閉制御部45は、実測出側湯温ＴOUT が開弁温度ＴOP以上である（ＴOUT ≧ＴOP）と判断したときにはバイパス弁10を閉弁したままでは給湯設定温度ＴS よりかなり高めの湯が出湯し、この高温出湯により湯の利用者に不快感を与えてしまうという問題や、湯張りや高温差し湯のために作り出された高温の湯がそのまま出湯して湯の利用者に火傷を負わせる危険が生じると判断し、バイパス弁駆動手段33へ開弁信号（バイパス通路開閉弁への開弁信号）を出力し、バイパス弁駆動手段33が図２の（ｃ）に示すバイパス弁開・閉信号の開弁信号（開弁駆動電圧）をバイパス弁10に加えてバイパス弁10を開弁させる。
【００４１】
そのように、バイパス弁10を開弁することによって、給湯熱交換器１から流れ出た高温の湯に常時バイパス通路５およびバイパス通路８から流出した水がミキシングされ、図２の（ｂ）に示すように、出湯湯温が下げられ、高温出湯を回避することができる。
【００４２】
開閉制御部45は、バイパス弁駆動手段33の動作情報からバイパス弁10が開弁していると検知している間（バイパス弁10の開弁期間中）、出側湯温センサ14の実測出側湯温ＴOUT と前記データ格納部40の閉弁温度ＴCLを比較し、図２の（ａ）に示すように、給湯熱交換器１から流れ出る湯温が下がり始め、実測出側湯温ＴOUT が閉弁温度ＴCL以下である（ＴOUT ≦ＴCL）と判断したときに、高温出湯の虞れがなくなったと判断し、バイパス弁駆動手段33へ閉弁信号（バイパス通路開閉弁への閉弁信号）を出力し、バイパス弁10を閉弁させる。
【００４３】
上記の如く、バイパス通路８とそのバイパス弁10を設け、出湯開始後、出側湯温センサ14の実測湯温ＴOUT が開弁温度ＴOP以上であるとき、つまり、高温出湯の虞れがあるときにバイパス弁10を開弁する構成としたので、湯張りや高温差し湯の直後だったり、後沸きが生じているために給湯熱交換器１から流出する湯の湯温が給湯設定温度の湯を出湯させる給湯熱交換器１の出側湯温よりもかなり高めであるときには、その高温の湯に常時バイパス通路５およびバイパス通路８から流出する水がミキシングされ、給湯熱交換器１から流出した湯の湯温が下げられ、高温出湯を防止することができる。
【００４４】
その上、この実施の形態例では、ＳA 設定部37とＳB 設定部38とＳS 決定部41とＴOP・ＴCL算出部46を設けたので、給湯停止直前や出湯待機中に給湯設定温度が大きく変更されたときにも変更後の給湯設定温度よりかなり高めの湯が出湯してしまうのを確実に防止することができる。それというのは、給湯停止直前や出湯待機中に給湯設定温度が大きく変更されたときに次に示す問題が生じると、高温出湯を防止できないことがあるが、この実施の形態例ではその問題が回避される構成となっているからである。
【００４５】
上記問題とは、例えば、給湯設定温度の変更にかかわらず、給湯停止時の給湯熱交換器１の出側湯温（つまり、暫定取り込み基準値ＳA ）を用いて開弁温度ＴOPと閉弁温度ＴCLを求め、これら開弁温度ＴOPと閉弁温度CLに基づいてバイパス弁10の開閉制御を行うと、給湯停止直前や出湯待機中に給湯設定温度が変更された場合に高温出湯を防止できないことがある。
【００４６】
すなわち、出湯待機中に、前回の給湯時の給湯設定温度より給湯設定温度が大幅に低く変更された場合に、暫定取り込み基準値ＳA に基づいた開弁温度ＴOPと閉弁温度ＴCLを用いてバイパス弁10の開閉制御が行われると、出湯開始時に、今回の給湯設定温度よりかなり高めの湯が出湯しているのにバイパス弁10が開けられず、その高めの湯が出湯したり、バイパス弁10が開けられたとしても早く閉弁してしまい今回の給湯設定温度より高めの湯が出湯し、湯の利用者に不快感を与えてしまうという問題が生じる。
【００４７】
また、出湯待機中に、給湯設定温度が前回の給湯時の給湯設定温度よりかなり高めに変更されたときに、暫定取り込み基準値ＳA に基づいた開弁温度ＴOPと閉弁温度ＴCLを用いてバイパス弁10の開閉制御が行われると、変更後の給湯設定温度の高温湯を供給しなければならないのにバイパス弁10が開けられ水がミキシングされ、変更後の給湯設定温度よりかなり低めの湯が出湯してしまうし、出湯湯温を上昇させる方向に給湯バーナの燃焼能力制御が行われるので、給湯熱交換器１の出側湯温は閉弁温度以下に下がらず、バイパス弁10は開弁したままになってしまう。このように、バイパス弁10が開弁したままになると、次のような問題が生じる。
【００４８】
上記バイパス弁10が開弁した状態のまま給湯運転が続行された場合には、給湯熱交換器１で作り出された湯に常時バイパス通路５およびバイバス通路８から流出する水をミキシングした後の湯の湯温が給湯設定温度になるように給湯バーナ２の燃焼能力制御が行われ、給湯熱交換器１の湯にミキシングする水が常時バイパス通路５の水だけである場合より給湯熱交換器１の湯温が高くなって給湯が停止された後の給湯熱交換器１の滞留湯の湯温が非常に高くなる。このように、給湯熱交換器１の滞留湯の湯温が非常に高い状態から出湯が開始されると、常時バイパス通路５の水に加えてバイパス通路８の水を給湯熱交換器１の湯にミキシングしても出湯湯温は給湯設定温度よりかなり高めとなってしまい、高温出湯を防止することができないという問題が生じる虞れがある。
【００４９】
さらに、給湯停止直前に、給湯設定温度が大きく変更されたときには、出湯湯温が変更後の給湯設定温度に移行する途中で給湯が停止されてしまう場合が生じ、その場合に給湯停止時の給湯熱交換器の出側湯温（暫定取り込み基準値ＳA ）に基づいて開弁温度および閉弁温度が求められ、その開弁温度および閉弁温度に基づいてバイパス弁10の開閉制御が行われると、前記同様に出湯開始時にバイパス弁10の開閉制御を行っているにもかかわらず、給湯設定温度から大きくずれた湯温の湯が出湯してしまうという問題がある。
【００５０】
さらに、給湯熱交換器の滞留湯が冷め切った状態からコールドスタートした出湯開始直後に、つまり、出湯湯温が給湯設定温度に立ち上がる前に給湯が停止された場合に、その給湯設定温度よりかなり低めの湯温（暫定取り込み基準値ＳA ）に基づいた開弁温度および閉弁温度を用いてバイパス弁10の開閉制御が行われると、出湯時にバイパス弁10を開けなくてもよいのにバイパス弁10が開けられ、給湯設定温度よりかなり低めの湯温の湯が出湯してしまうという問題がある。
【００５１】
この実施の形態例では、前記の如く、暫定取り込み基準値ＳA が暫定演算基準値ＳB より予め定めた許容範囲を外れているときには、暫定演算基準値ＳB を確定基準値ＳS と決定するので、上記問題を回避することができ、確実に出湯時の高温出湯を防止することができるし、給湯設定温度よりかなり低い湯温の湯が出湯するという事態を回避することができる。
【００５２】
ところで、データ格納部40がコスト低減を図るために揮発性記憶装置で形成される場合には、給湯器の電源が切られるとデータ格納部40はクリアされてしまうので、次の給湯器の電源投入後に最初に給湯を使うときには、データ格納部40に確定基準値ＳS が格納されていない状態（確定基準値ＳS に「０」が与えられている状態）となる。そのような場合には開弁温度ＴOPおよび閉弁温度ＴCLが非常に低く設定され（例えば、ＴOP＝３℃，ＴCL＝２℃）、給湯熱交換器１から流れ出る湯水の温度はその開弁温度ＴOP以上の湯温となるので、給湯開始後、高温出湯の虞れがないのにバイパス弁10が開弁され、その後、給湯熱交換器１の出側湯温は上記閉弁温度ＴCL以下に下がることはないので、バイパス弁10は開弁したままになって、前述したように、給湯停止前から給湯熱交換器１で高温の湯を作っているために、次回の出湯時の高温出湯を防止できない虞れがあるという問題が生じる。
【００５３】
そこで、この実施の形態例では上記問題を回避するために、前記構成に加えてＳS 有無判断部42と初回ＳS 設定部50が設けられている。
【００５４】
ＳS 有無判断部42は、データ格納部40にＳS 決定部41が決定した確定基準値ＳS が格納されているか否かを判断する。具体的には、データ格納部40の確定基準値ＳS が「０」であるか否かを判断する。確定基準値ＳS が格納されていない（確定基準値ＳS が「０」である）と判断したときには、確定基準値ＳS の未格納に起因した前記問題が生じるので確定基準値ＳS を決定する必要があると判断し、初回ＳS 設定部50へ動作開始信号を出力する。
【００５５】
初回ＳS 設定部50は、その動作開始信号を受けると、前記ＳB 設定部38に暫定演算基準値ＳB の算出動作を行わせ、算出された暫定演算基準値ＳB を取り込み、この暫定演算基準値ＳB を確定基準値ＳS としてデータ格納部40へ出力し、初回確定基準値ＳS がデータ格納部40に格納される。
【００５６】
上記の如く、ＳS 有無判断部42によってデータ格納部40に確定基準値ＳS が格納されていないと判断されたときに、初回ＳS 設定部50がＳB 設定部38の算出暫定演算基準値ＳB を初回確定基準値ＳS として設定することにより、給湯設定温度ＴS に対応した開弁温度ＴOP・閉弁温度ＴCLが設定され、前記確定基準値ＳS の未格納に起因した問題を回避することができる。
【００５７】
この実施の形態例では、前述したように、制御装置20の高温出湯防止手段25に、さらに、ＴS 監視部43と開閉状態監視部44が設けられており、次の問題を回避する構成となっている。
【００５８】
その問題とは、出湯開始後、開閉制御部45の制御動作によりバイパス弁10が開弁された後、給湯設定温度が高くなる方向に変更されると、給湯熱交換器１の出側湯温ＴOUT を上昇させる方向に給湯運転が行われるので、変更前の給湯設定温度に対応した閉弁温度ＴCLを用いて閉弁タイミングを決定しようとすると、給湯熱交換器１の出側湯温ＴOUT がその閉弁温度ＴCL以下に下がらず、バイパス弁10が開弁したままになってしまい、前述したように、給湯停止前から給湯熱交換器１で高温の湯を作っているために、次回の出湯時の高温出湯を防止できないという問題が生じる虞れがあるというものである。また、バイパス弁10が開弁された後、給湯設定温度が低くなる方向に大きく変更された場合に変更前の給湯設定温度に対応した閉弁温度ＴCLを用いて閉弁タイミングを決定しようとすると、バイパス弁10が早く閉弁してしまい、変更後の給湯設定温度よりかなり高めの湯が出湯するという問題が生じる虞れがある。
【００５９】
そこで、上記問題を回避するために、上記の如く、高温出湯防止手段25にＴS 監視部43と開閉状態監視部44を設けた。開閉状態監視部44は、燃焼制御部36の制御動作の情報から出湯が開始されたと検知した後、バイパス弁駆動手段33の開閉動作情報を取り込んで（図２の（ｃ）に示すバイパス弁開・閉信号を取り込んで）バイパス弁10の開閉状態を監視する。
【００６０】
ＴS 監視部43は、出湯開始後、上記開閉状態監視部44の情報に基づき、バイパス弁10が開弁していると検知している間（バイパス弁開・閉信号の開弁信号（駆動電圧）がバイパス弁駆動手段33からバイパス弁10に供給されている間）、サンプリング部35を介して給湯温度設定手段21に設定されている給湯設定温度ＴS をサンプリングし、内蔵のメモリに記憶させると共に、前回のサンプリング時にサンプリングした給湯設定温度ＴS ′を内蔵メモリから読み出し、この前回の給湯設定温度ＴS ′と今回の給湯設定温度ＴS を比較する。
【００６１】
比較の結果、今回の給湯設定温度ＴS が前回の給湯設定温度ＴS ′より予め定めた設定範囲γ（例えば、±２℃）を外れていると判断したときには、バイパス弁10の開弁期間中に給湯設定温度が大きく変更されたので、バイパス弁10の開弁期間中における給湯設定温度の変更に起因した前記問題が生じる虞れがあり、その問題を回避しなければならないと判断し、前記ＳB 設定部38の暫定演算基準値ＳB の算出動作とＳS 決定部41の確定基準値ＳS の決定動作とＴOP・ＴCL算出部46の開弁温度ＴOP・閉弁温度ＴCLの算出動作を再び行わせ、変更後の給湯設定温度ＴS に対応した最適な開弁温度ＴOPおよび閉弁温度ＴCLを求めさせる。
【００６２】
なお、上記設定範囲γに０℃を与えてもよい。また、内蔵メモリに給湯設定温度ＴS を書き込むときに、メモリに記憶されていた前々回のサンプリング時の給湯設定温度は自動消去され新たな給湯設定温度ＴS に更新されるようになっている。
【００６３】
上記の如く、ＴS 監視部43と開閉状態監視部44を設けたので、これらＴS 監視部43と開閉状態監視部44の動作により、バイパス弁10が開弁しているときに給湯設定温度が変更された場合には、変更後の給湯設定温度に対応した開弁温度ＴOPおよび閉弁温度ＴCLが求められ、バイパス弁10の開弁期間中に給湯設定温度が変更されたことに起因した前記問題を確実に回避することができる。
【００６４】
この実施の形態例によれば、バイパス通路８およびそのバイパス弁10を設け、出湯開始後、高温出湯の虞れがあるときに（給湯熱交換器１の出側湯温ＴOUT が開弁温度ＴOP以上となったときに）バイパス弁10を開弁させる構成にしたので、高温出湯の虞れがあるときには、給湯熱交換器１から流出する高温の湯に水がミキシングされその高温の湯の湯温が下げられ、湯張りや高温差し湯のために作り出された高温の湯や後沸きに起因した高温出湯を防止することができる。
【００６５】
また、バイパス通路８とバイパス弁10を設け、バイパス弁10の開閉制御を行うだけで、上記の如く、出湯時の高温出湯を防止できるので、管路構成および制御構成の簡易化を図ることが容易であるという画期的な効果を奏することができる。
【００６６】
さらに、出湯待機中等に給湯設定温度が変更されても、変更後の給湯設定温度に基づいた開弁温度ＴOPと閉弁温度ＴCLを求める構成にしたので、確実に出湯時の高温出湯を防止することができる開弁温度ＴOP、閉弁温度ＴCLを求めることが可能となる。そして、出湯開始時に、これら開弁温度ＴOPと閉弁温度ＴCLに基づいてバイパス弁10の開閉制御が行われるので、出湯待機中等に給湯設定温度が変更されても、出湯時の高温出湯を確実に防止できるし、高温出湯の虞れがないのにバイパス弁10が開弁してしまうという誤動作が回避できるし、バイパス弁10が開弁したままになって次回の出湯時の高温出湯が防止できない虞れが生じるという問題も防止でき、ほぼ給湯設定温度の湯を安定的に出湯させることが可能である。
【００６７】
さらに、ＳS 有無判断部42と初回ＳS 設定部50を設けたので、電源投入時等、データ格納部40に確定基準値ＳS が格納されていないときにはＳB 設定部38が求めた暫定演算基準値ＳB が初回確定基準値ＳS としてデータ格納部40に格納されることになり、給湯設定温度に対応した開弁温度ＴOP・閉弁温度ＴCLを設定することができ、開弁温度ＴOP・閉弁温度ＴCLが非常に低く設定されたときに生じる問題を回避することができ、上記同様にほぼ給湯設定温度の湯を安定的に出湯させることができる。
【００６８】
さらに、ＴS 監視部43と開閉状態監視部44を設けたので、バイパス弁10が開弁している間に給湯設定温度が大きく変更されたときには、変更後の給湯設定温度に基づいて開弁温度ＴOPおよび閉弁温度ＴCLを再度求めることが可能となり、この求めた閉弁温度ＴCLを用いてバイパス弁10の閉弁タイミングが決定されるので、バイパス弁10が開弁しているときに給湯設定温度が高くなる方向に大きく変更されたためにバイパス弁10が開弁したままになってしまい次回の出湯時の高温出湯を防止できない虞れがあるという問題や、給湯設定温度が低くなる方向に大きく変更された場合にバイパス弁10が早く閉弁してしまい給湯設定温度よりかなり高めの湯が出湯するという問題を回避することができる。
【００６９】
なお、本発明は、上記実施の形態例に限定されるものではなく、様々な実施の形態を採り得る。例えば、上記実施の形態例の構成に加えて、運転モードの判別を行うモード判別手段を設け、単機能給湯器以外の図５〜図７に示すような給湯器の運転に際しては、このモード判別手段により給湯モードの運転開始を検知したときのみ、バイパス弁10の開閉制御を行うようにしてもよい。もちろん、高温差し湯や湯張りが行われるときにもバイパス弁10の開閉制御を行うようにしてもよい。
【００７０】
また、上記実施の形態例では、燃焼制御部36の制御動作の情報に基づいて出湯開始を検知していたが、流量検出センサ12のセンサ出力を用いて出湯開始を検知するようにしてもよいし、図４〜図７の各給湯器の給湯通路４の給湯栓19側に流水を検出するための流水スイッチ（給湯確認スイッチ）等のセンサを設け、このセンサのセンサ出力を用いて出湯開始を検知するようにしてもよい。
【００７１】
さらに、図４〜図７に示した給湯器には常時バイパス通路５が設けられていたが、前記実施の形態例に示した高温出湯防止手段は常時バイパス通路５を省略した各種の燃焼機器にも適用できるものであり、上記実施の形態例の高温出湯防止手段25を設けて高温出湯防止動作を行うことによって、出湯時に給湯設定温度より許容範囲を越えた高温の湯が出湯し湯の利用者に不快感を与えるという問題および高温出湯による危険を回避できる。上記のように常時バイパス通路５を省略した場合にはその分管路構成を簡単にできる。
【００７２】
なお、上記のように、常時バイパス通路５を省略した場合には、図４に示す流量ＱV1が全て給湯熱交換器１に流れ込むことになるので、流量ＱHE＝流量ＱV1となり、上記実施の形態例に示したＳB 算出演算式データ（ＳB ＝（Ｔs −（１−ｍ）Ｔ1 ）／ｍ）の定数ｍ（ｍ＝ＱHE／ＱV1）には「１」が予め与えられることになる。
【００７３】
さらに、上記実施の形態例では、ＳB 設定部38はＳB 算出演算式データ（ＳB ＝（Ｔs −（１−ｍ）Ｔ1 ）／ｍ）に基づいて暫定演算基準値ＳB を検出していたが、例えば、給湯設定温度Ｔs と入水温Ｔ1 の関係から暫定演算基準値ＳB を検出するための表データやグラフデータ等を予め求めてＳB 検出データとしてＳB 設定部38の内蔵メモリに格納しておき、このＳB 検出データに基づいて暫定演算基準値ＳB を検出するという如く、演算を用いない他の手法により暫定演算基準値ＳB を検出するようにしてもよい。
【００７４】
さらに、上記実施の形態例では、バイパス通路８およびそのバイパス弁10は１組しか設けられていなかったが、複数組設けてもよい。この場合には、それらバイパス弁を個々に制御するようにする。例えば、第１のバイパス弁には第１の開弁温度と第１の閉弁温度が対応し、第２のバイパス弁には上記第１の開弁温度より高い第２の開弁温度と第１の閉弁温度より高い第２の閉弁温度が対応するという如く、給湯熱交換器１の出側湯温が高くなるにしたがって、開弁しているバイパス弁の数が多くなるように各バイパス弁に対応する開弁温度と閉弁温度を設定し、それら開弁温度と閉弁温度に基づいて各バイパス弁を個々に制御するようにしてもよい。この場合には後沸き等の度合に応じて給湯熱交換器１から流出する高温の湯量に対するミキシング水量の割合を可変することが可能となる。
【００７５】
さらに、上記実施の形態例では、入水温度Ｔ1 を入水温度センサ13から直接的に検出していたが、制御装置20に入水温度Ｔ1 を演算算出するための入水温度検出手段を設け、この入水温度検出手段の入水温度検出動作により次のように入水温度Ｔ1 を演算算出するようにしてもよい。
【００７６】
例えば、上記入水温度検出手段は、燃焼制御部36から給湯バーナの燃焼能力（燃焼熱量）Ｊを、給湯温度設定手段21から給湯設定温度ＴS を、流量検出センサ12から入水流量Ｑ0 をそれぞれ取り込み、これら燃焼能力Ｊと給湯設定温度ＴS と入水流量Ｑ0 と、予め与えられている入水温度算出演算式データ（Ｔ1 ＝ＴS −（Ｊ／（ｍ・Ｑ0 ・Ｃ）；ただし、ｍはバイパス弁10が閉弁状態であるときの入水流量Ｑ0 に対する給湯熱交換器１を流れる流量の割合（例えば、予め定まる給湯熱交換器１と常時バイパス通路５の流量比が７：３であるときにはｍに“0.7 ”が予め与えられる））に基づき、入水温度Ｔ1 を演算算出する。
【００７７】
さらに、上記実施の形態例の燃焼機器は、リモコン18に給湯温度設定手段21が設けられ、湯の利用者が給湯温度設定手段21を用いて給湯設定温度ＴS を可変設定することが可能なものであったが、本発明は、給湯温度設定手段21が省略され、予め定めた給湯設定温度ＴS が制御装置20に与えられている恒温出湯タイプの燃焼機器にも適用することができる。
【００７８】
さらに、上記実施の形態例ではＴOP・ＴCL算出部46は開弁温度ＴOPと閉弁温度ＴCLを演算算出していたが、確定基準値ＳS に基づいて開弁温度ＴOP、閉弁温度CLを検出するための表データやグラフデータ等を予め求めてＴOP検出データ、ＴCL検出データとして内蔵メモリに格納しておき、これらＴOP検出データおよびＴCL検出データと、確定基準値ＳS とに基づき開弁温度ＴOPと閉弁温度ＴCLを検出するという如く、演算を用いない他の手法により開弁温度ＴOPと閉弁温度ＴCLを検出するようにしてもよい。
【００７９】
さらに、上記実施の形態例ではＴOP・ＴCL算出部46は出湯開始時に開弁温度ＴOPおよび閉弁温度ＴCLを算出していたが、出湯待機中に、ＳS 決定部41が確定基準値ＳS を決定する度にその確定基準値ＳS を取り込み、開弁温度ＴOPおよび閉弁温度ＴCLを算出するようにしてもよいし、出湯待機中に、予め定めた時間間隔（例えば、10秒間隔）毎にデータ格納部40から確定基準値ＳS を読み出して開弁温度ＴOPおよび閉弁温度ＴCLを算出するようにしてもよい。
【００８０】
さらに、上記実施の形態例では、ＳB 設定部38とＴS 監視部43とＴOP・ＴCL算出部46はそれぞれ別個にメモリを内蔵していたが、ＳB 設定部38とＴS 監視部43とＴOP・ＴCL算出部46の共通のメモリを設けてもよいし、データ格納部40を、例えば、不揮発性記憶装置で構成する場合には、このデータ格納部40が上記ＳB 設定部38とＴS 監視部43とＴOP・ＴCL算出部46のメモリを兼用する構成してもよい。この場合には、当然に、前記ＳB 算出演算式データやＴOP算出演算式データやＴCL算出演算式データやＴS 監視部43が取り込んだ給湯設定温度データはデータ格納部40に格納されることになる。
【００８１】
また、上記の如く、データ格納部40を不揮発性装置で構成する場合には、給湯器の電源を切ってもデータ格納部40のデータは消去されないので、例えば、給湯器の製造工程内や設置施工時にデータ格納部40に予め定めた確定基準値ＳS （例えば、給湯設定温度として最も多く設定されると考えられる湯温を出湯させる給湯熱交換器１の出側湯温）を与えるようにすれば、施工後の最初の電源投入時やその後の電源投入時にデータ格納部40に確定基準値S が格納されていないということがなく、この場合にはＳS 有無判断部42と初回ＳS 設定部50を省略してもよい。ＳS 有無判断部42と初回ＳS 設定部50を省略した場合には、その分、制御装置20の制御構成を簡易化することができる。
【００８２】
さらに、上記実施の形態例では、開弁温度ＴOPを求めるのに用いる第１の嵩上げ温度αと、閉弁温度ＴCLを求めるのに用いる第２の嵩上げ温度βとは予め定められていたが、上記第１の嵩上げ温度αと第２の嵩上げ温度βを可変設定するための可変設定手段を制御装置20が設けられている制御基板等に設けて、サービスマン等が上記第１の嵩上げ温度αと第２の嵩上げ温度βを可変設定できるようにしてもよい。
【００８３】
さらに、上記実施の形態例ではＴS 監視部43と開閉状態監視部44が設けられていたが、これらＴS 監視部43と開閉状態監視部44は省略してもよい。バイパス弁10が開弁している間に給湯設定温度が変更になることは稀なので、上記の如く、ＴS 監視部43と開閉状態監視部44を省略しても、通常の使用において殆ど支障がないからである。
【００８４】
さらに、上記実施の形態では常時バイパス通路５が１本だけ設けられていたが、常時バイパス通路５を複数本設けてもよい。この場合にも、前記の如く、給湯熱交換器１の流量とそれら常時バイパス通路の総流量の流量比が管路抵抗により予め定めた流量比となるように複数の常時バイパス通路５を形成する。
【００８５】
【発明の効果】
この発明によれば、出湯開始後、高温出湯の虞れがあるときにバイパス通路開閉弁を開弁して給湯熱交換器から流出した高温の湯にバイパス通路の水をミキシングする構成としたので、給湯熱交換器の後沸きに起因した高温の湯が出湯時に出湯するのを確実に防止できるし、風呂への湯張りや高温差し湯機能を有した燃焼機器の場合には、湯張りや高温差し湯の終了直後の出湯時に湯張りや高温差し湯に用いた高めの湯が出湯するのを防止することができるし、一缶二水構成を有した燃焼機器の場合には、追い焚き単独運転による給湯バーナの追い焚き燃焼によって給湯熱交換器の給湯側の滞留水が加熱し、高温の湯が出湯開始により出湯するのを防止することができ、湯の利用者に出湯時の高温出湯により不快感を与えてしまうという問題や高温出湯による危険を回避することができる。
【００８６】
また、暫定取り込み基準値が暫定演算基準値より予め定めた許容範囲を外れていると判断したときには暫定演算基準値を確定基準値と決定するように構成されているので、暫定取り込み基準値が給湯設定温度の湯を出湯させるための給湯熱交換器の出側湯温（暫定演算基準値）から大きく離れているときにはその暫定取り込み基準値が確定基準値に設定されることはなく、暫定演算基準値が確定基準値に設定され、この確定基準値に基づいて高温出湯を確実に防止するための開弁温度と閉弁温度を求めることが可能となる。
【００８７】
このことから、前回の給湯停止直前や出湯待機中に出湯設定温度が高くなる方向に大きく変更されたり、出湯湯温が立ち上がる前に前回の給湯が停止されたことに起因して変更後の給湯設定温度よりかなり低い温度が開弁温度、閉弁温度として設定されてしまうことがなく、開弁温度が低く設定されたために、出湯開始後、高温出湯の虞れがないのにバイパス通路開閉弁が開弁してしまうという誤動作の問題や、閉弁温度が低く設定されたために、バイパス通路開閉弁が開弁した後に閉弁されず、次回の出湯時の高温出湯を防止できない虞れがあるという問題を回避することができる。
【００８８】
さらに、前回の給湯停止直前や出湯待機中に給湯設定温度が低くなる方向に大きく変更されたことに起因して変更後の給湯設定温度よりかなり高い温度が開弁温度、閉弁温度として設定されてしまうことがなく、出湯開始後、給湯設定温度よりかなり高い温度の湯が出湯しているのに、バイパス通路開閉弁が開弁せずに高温の湯が出湯して湯の利用者に不快感を与えてしまうという問題や高温出湯による危険を防止することができる。
【００８９】
さらに、上記の如く、必要最低限のバイパス通路およびその開閉弁を設けるだけで、出湯時の高温出湯を防止できるので、管路構成を簡易化することが可能であり、給湯器のコスト低減を図ることができるという画期的な効果を奏することができる。
【００９０】
確定基準値有無判断部と初回確定基準値設定部を設ける構成にあっては、確定基準値のデータがない場合に暫定演算基準値が確定基準値として設定されるので、確定基準値のデータがないために開弁温度と閉弁温度が給湯設定温度より非常に低く設定されるということをなくすことができ、開弁温度と閉弁温度が給湯設定温度より非常に低く設定されたことに起因した問題を回避することができる。
【００９１】
開閉状態監視部と給湯設定温度監視部を設ける構成にあっては、バイパス通路開閉弁が開弁しているときに給湯設定温度が大きく変更された場合に、その変更後の給湯設定温度に対応した閉弁温度が求められるので、バイパス通路開閉弁を開弁させておかなければならないのにバイパス通路開閉弁が早く閉じてしまい給湯設定温度よりかなり高めの湯が出湯してしまうという問題や、閉弁温度が低過ぎて給湯熱交換器の出側湯温が閉弁温度以下にならず、バイパス通路開閉弁が開弁したままになって次回の出湯時の高温出湯を防止できない虞れがあるという問題を確実に回避することができる。
【００９２】
給湯熱交換器の給水通路と給湯通路を短絡する開閉弁を持たない常時バイパス通路が設けられている構成にあっては、給湯通路の常時バイパス通路出側接続部で、給湯熱交換器で加熱された湯と常時バイパス通路側を通った水がミキシングされることになり、例えば、バイパス通路開閉弁を開弁してバイパス通路を通る水によって給湯熱交換器から流出した湯の温度を下げなければならないのにも拘わらず、バイパス通路開閉弁が故障して開弁しないという事態が発生しても、上記の如く、給湯熱交換器の湯は常時バイパス通路の水がミキシングされることによって湯温が下げられることから、高温の湯が出湯し湯の利用者に火傷を負わせてしまうというような重大な問題は回避することができる。
【図面の簡単な説明】
【図１】本発明において特有な高温出湯防止手段の実施の形態例を示すブロック構成図である。
【図２】バイパス弁の開閉制御の動作例を示すタイムチャートである。
【図３】給湯熱交換器の滞留湯の温度における時間的変化の一例を示すグラフである。
【図４】本発明の燃焼機器である給湯器の一システム構成例を示すモデル図である。
【図５】本発明の燃焼機器である複合給湯器の一システム構成例を示すモデル図である。
【図６】本発明の燃焼機器である湯張り機能（高温差し湯機能）付給湯器の一システム構成例を示すモデル図である。
【図７】本発明の燃焼機器である一缶二水構成の給湯器の一システム構成例を示すモデル図である。
【符号の説明】
１  給湯熱交換器
３  給水通路
４  給湯通路
５  常時バイパス
８  バイパス通路
10  バイパス弁
13  入水温度センサ
14  出側湯温センサ
21  給湯温度設定手段
37  ＳA 設定部
38  ＳB 設定部
40  データ格納部
41  ＳS 決定部
42  ＳS 有無判断部
43  ＴS 監視部
44  開閉状態監視部
45  開閉制御部
46  ＴOP・ＴCL算出部
50  初回ＳS 設定部
【図１】
0003756988.tif 000002
【図２】
0003756988.tif 000003
【図３】
0003756988.tif 000004
【図４】
0003756988.tif 000005
【図５】
0003756988.tif 000006
【図６】
0003756988.tif 000007
【図７】
0003756988.tif 000008